(57)【要約】【課題】ハニカムコアにＬＥＤ光源を取り付けるための開口部や区画部を設けることなく、ハニカムパネルの強度が低下することなく、透明なハニカムパネルにＬＥＤ光源を取り付けても基板や配線等が外から見えることのないハニカムパネルを提供する。【解決手段】  本発明は、一対の面板２、３と、これらの面板２、３間に挟持されるハニカムコア４とからなるハニカムパネル１である。面板２、３が内部に光が透過可能な内部透過部５、６と、外周側端部７、８に設けられて内部透過部５、６に光が入射する光入射面９、１０と、光入射面９、１０から入射し内部透過部５、６を透過した光が外部に放射される放射面１１、１２とを有している。ハニカムコア４が光透過性を有し、面板２、３の外周側に光入射面９、１０に向けて光を照射するＬＥＤ光源１３を設けたことを特徴とする。【選択図】 図１
2019153444.tif 000002
【特許請求の範囲】
【請求項１】
一対の面板と、これらの面板間に挟持されるハニカムコアとからなるハニカムパネルであって、
前記面板が内部に光が透過可能な内部透過部と、外周側端部に設けられて前記内部透過部に光が入射する光入射面と、光入射面から入射し前記内部透過部を透過した光が外部に放射される光放射面とを有し、
前記ハニカムコアが光透過性を有し、
前記面板の外周側に前記光入射面に向けて光を照射するＬＥＤ光源を設けたことを特徴とするハニカムパネル。
【請求項２】
前記面板の外周側端部には、該外周側端部を覆うとともに、内面に前記ＬＥＤ光源が支持され、前記ＬＥＤ光源の光が外部に透過することのない被覆支持部材が設けられていることを特徴とする請求項１に記載のハニカムパネル。
【請求項３】
前記被覆支持部材は前記面板の外周側端部の外周面側にそれぞれ固定されて面板の面方向にそれぞれ対向して延びる横板部と、これらの横板部の先端部同士を連結するとともに内面側に前記ＬＥＤ光源が固定される縦板部と、で形成されていることを特徴とする請求項２に記載のハニカムパネル。
【請求項４】
前記ハニカムコアの外周側端部には、該外周側端部を覆うとともに前記ＬＥＤ光源からの光が前記ハニカムコアに入射することがなく、前記ＬＥＤ光源からの光を前記光入射面に導く被覆導光部材が設けられていることを特徴とする請求項２又は請求項３に記載のハニカムパネル。
【請求項５】
前記被覆導光部材は、前記面板の外周側端部の内周面側にそれぞれ固定されて面板の面方向にそれぞれ対向して延びる支持横板部と、これらの支持横板部の先端部同士を連結するとともに、前記ＬＥＤ光源からの光を前記面板の前記光入射面にそれぞれ導く導光板部とからなることを特徴とする請求項４に記載のハニカムパネル。
【発明の詳細な説明】
【技術分野】
【０００１】
本発明は、一対の面板と、これらの面板間に挟持されたハニカムコアとからなるハニカムパネルに関する。
【背景技術】
【０００２】
アルミニウム金属箔からなるハニカムコアの両面にアルミ合金板などの面板を接着して形成されているハニカムパネルは、軽量で高剛性を有している。このハニカムパネルは、特許文献１、２で開示されているように、待合スペースや屋外通路の屋根材等に広く利用されている。また、特許文献１、２では、ハニカムパネルにＬＥＤ照明を内蔵させることで待合スペースや屋外通路を点灯することが開示されている。
【０００３】
特許文献１では、建物の側面に固定され底面に開口部が設けられたパネルと、このパネルの開口部に設けられた発光ダイオード素子を含む照明部とからなる庇について開示されている。特許文献２では、面板間の空間にコア材を配置しない区画部を設け、この区画部内にＬＥＤ照明ユニットを組み込んだハニカムパネルについて開示されている。
【０００４】
このように、特許文献１、２では、ハニカムパネルに発光ダイオード素子を含む照明部、ＬＥＤ照明ユニットを内蔵させることで、例えば待合スペースや屋外通路等を照明することができ、待合スペースや屋外通路を照明する照明装置を別に設置することが不要となる。
【先行技術文献】
【特許文献】
【０００５】
【特許文献１】特開２００６−３２８９３６号公報
【特許文献２】特開２０１１−１７１２６６号公報
【発明の概要】
【発明が解決しようとする課題】
【０００６】
しかしながら、上記特許文献１、２のように発光ダイオードを含む照明部やＬＥＤ照明ユニットをハニカムパネルに内蔵する場合、ハニカムコアに開口部や区画部を設ける必要があるので、開口部や区画部を設ける分ハニカムパネルの加工を必要とする。
【０００７】
また、開口部や区画部を設けた部分はハニカムコアが存在しないので、ハニカムパネルの本来の強度がその分低下する。
【０００８】
さらに、ハニカムパネルの中間部分に開口部や区画部を設け、この開口部や区画部に内蔵した照明部やＬＥＤ照明ユニットを取り付けてリード線等を引き出すと、このリード線が外部に露出しないように配線する必要から配線を遮蔽するための加工も必要となる。
【０００９】
また、面板やハニカムコアを透明の材料で形成した透明ハニカムパネルに発光ダイオードを含む照明部やＬＥＤ照明ユニットを内蔵させると、発光ダイオードを含む照明部やＬＥＤ照明ユニットの光照射部分以外の基板や配線等が外部から見えてしまう。このため、光照射部分以外が見えないように遮蔽する加工も必要となる。
【００１０】
そこで、本発明は、ハニカムコアにＬＥＤ光源を取り付けるための開口部や区画部を設けることなく、ハニカムパネルの強度が低下することなく、透明なハニカムパネルにＬＥＤ光源を取り付けても基板や配線等が外から見えることのないハニカムパネルの提供を目的とする。
【課題を解決するための手段】
【００１１】
上述した課題を解決し、目的を達成するために、本発明の第１の態様は、一対の面板と、これらの面板間に挟持されるハニカムコアとからなるハニカムパネルであって、前記面板が内部に光が透過可能な内部透過部と、外周側端部に設けられて前記内部透過部に光が入射する光入射面と、光入射面から入射し前記内部透過部を透過した光が外部に放射される光放射面とを有し、前記ハニカムコアが光透過性を有し、前記面板の外周側に前記光入射面に向けて光を照射するＬＥＤ光源を設けたことを特徴とする。
【００１２】
本発明の第２の態様としては、前記面板の外周側端部には、この外周側端部を覆うとともに、内面に前記ＬＥＤ光源が支持され、前記ＬＥＤ光源の光が外部に透過することのない被覆支持部材が設けられていることを特徴とする。
【００１３】
本発明の第３の態様としては、前記被覆支持部材は前記面板の外周側端部の外周面側にそれぞれ固定されて面板の面方向にそれぞれ対向して延びる横板部と、これらの横板部の先端部同士を連結するとともに内面側に前記ＬＥＤ光源が固定される縦板部と、で形成されていることを特徴とする。
【００１４】
本発明の第４の態様としては、前記ハニカムコアの外周側端部には、該外周側端部を覆うとともに前記ＬＥＤ光源からの光が前記ハニカムコアに入射することがなく、前記ＬＥＤ光源からの光を前記光入射面に導く被覆導光部材が設けられていることを特徴とする。
【００１５】
本発明の第５の態様としては、前記被覆導光部材は、前記面板の外周側端部の内周面側にそれぞれ固定されて面板の面方向にそれぞれ対向して延びる支持横板部と、これらの支持横板部の先端部同士を連結するとともに、前記ＬＥＤ光源からの光を前記面板の前記光入射面にそれぞれ導く導光板部とからなることを特徴とする。
【発明の効果】
【００１６】
本発明によれば、ＬＥＤ光源を面板の外周側に設けたので、ハニカムコアにＬＥＤ光源を取り付けるための開口部や区画部をハニカムパネルの中間（中央）部分に設ける加工が不要になる。
【００１７】
また、ＬＥＤ光源を面板の外周側に設けたので、ハニカムコアにＬＥＤ光源を取り付けるための開口部や区画部をハニカムパネルの中間（中央）部分に設けることがないので、ハニカムパネルの本来の強度が低下することがない。
【００１８】
また、ＬＥＤ光源を面板の外周側に設けたので、ＬＥＤ光源から引き出されるリード線が外部に露出することがなく、リード線を遮蔽する加工が不要になる。
【００１９】
また、ＬＥＤ光源を面板の外周側に設けたので、面板やハニカムコアを透明な材料で形成した透明なハニカムパネルにＬＥＤ光源を取り付けても基板や配線等が外から見えることがない。
【図面の簡単な説明】
【００２０】
【図１】図１は本発明の実施の形態に係るハニカムパネルの外周側部を示す断面図。
【図２】図２は本発明の実施の形態に係るハニカムパネルを示し、（ａ）は平面図、（ｂ）は断面図、（ｃ）は斜視図。
【図３】図３は本発明の実施の形態に係るハニカムパネルの外周側部を示す分解斜視図。
【図４】図４は本発明の実施の形態に係るハニカムパネルの外周側部に取り付けられる被覆支持部材を示す断面図。
【図５】図５は本発明の実施の形態に係るハニカムパネルの外周側部に取り付けられる被覆導光部材を示す断面図。
【発明を実施するための形態】
【００２１】
以下、本発明の実施の形態に係るハニカムパネルについて説明する。
本実施の形態に係るハニカムパネル１は、図１、図２、図３に示すように、一対の面板２、３と、これらの面板２、３間に挟持されるハニカムコア４とから形成されている。また、本実施の形態に係るハニカムパネル１は、面板２、３が内部に光が透過可能な内部透過部５、６と、外周側端部７、８に設けられて内部透過部５、６に光が入射する光入射面９、１０と、光入射面９、１０から入射し内部透過部５、６を透過した光が外部に放射される光放射面１１（１１ａ、１１ｂ）、１２（１２ａ、１２ｂ）とを有している。また、ハニカムコア４が光透過性を有し、面板２、３の外周側に光入射面９、１０に向けて光を照射するＬＥＤ光源１３が設けられている。
【００２２】
一方の面板２は、図２（ａ）、（ｂ）及び図３に示すように長方形状の透明な板材で形成されている。面板２の一面側は外面１４となっており、他面側はハニカムコアと接着するハニカムコア接着面１５となっている。これらの外面１４とハニカムコア接着面１５が上記光放射面１１（１１ａ、１１ｂ）となっている。
【００２３】
また、面板２の外周側端部７の端面が上記光入射面９となっている。さらに、面板２の内部が上記内部透過部５となっている。面板２と同様に、他方の面板３についても、一面側は外面１４となっており、他面側はハニカムコア接着面１５となっている。また、面板３の外周側端部８の端面が光入射面１０であり、面板３の内部が内部透過部６となっている。
【００２４】
そして、面板２、３の外周側端部７、８にＬＥＤ光源１３の光が照射されると、光入射面９、１０に入射され、入射された光は内部透過部５、６を透過し、光放射面１１ａ、１２ａからは外方へ、光放射面１１ｂ、１２ｂからはハニカムコア４へ向けて放射される。
【００２５】
ハニカムコア４は、複数の筒状部２１が隣設して一体に形成して構成されている。複数の筒状部の両端の開口縁部は面板２、３のハニカムコア接着面１５、１５と接着する面板接着端２２、２２となっている。このハニカムコア４は、透明な材料で形成されており、光透過性を有している。なお、このハニカムコア４は、透明な材料で形成する以外にアルミニウム金属箔で形成しても良い。この場合は、アルミニウム金属箔で形成された筒状部で囲まれる空間が光透過性を有していることになる。
【００２６】
そして、面板２、３の光放射面１１ｂ、１２ｂから放出された光が筒状部２１、筒状部２１で囲まれた空間を通って面板２、３に向けて放射される。すなわち、面板２の光放射面１１ｂから放射された光は、筒状部２１、筒状部２１で囲まれた空間を通って面板３に向けて放射され、面板３の光放射面１２ｂから放射された光は、筒状部２１、筒状部２１で囲まれた空間を通って面板２に向けて放射される。
【００２７】
この結果、ハニカムパネル１に入射された光が、ハニカムパネル１全体から放射されることになり、ハニカムパネル１全体を輝かせ、点灯させることができる。このハニカムパネル１には、ハニカムパネル１の外周側端部７、８からＬＥＤ光源１３からの光が入射される。
【００２８】
図１及び図３に示すように、面板２、３の外周側端部７、８には、ＬＥＤ光源１３が支持される被覆支持部材２３が設けられている。この被覆支持部材２３は、ＬＥＤ光源１３を支持するとともに、外周側端部７、８を覆う。また、被覆支持部材２３は、ＬＥＤ光源１３からの光を外部に透過することがなく、内面側はＬＥＤ光源１３からの光を効率良く反射させるため鏡面仕上げされている。
【００２９】
被覆支持部材２３は面板２、３の外周側端部７、８の外面１４、１４側にそれぞれ固定されて面板２、３の面方向にそれぞれ対向して延びる横板部２４、２４と、これらの横板部２４、２４の先端部同士を連結するとともに内面側にＬＥＤ光源１３が固定される縦板部２５とで、断面コの字型形状に形成されている。
【００３０】
被覆支持部材２３で覆われた外周側端部７、８間のハニカムコア４の外周側端部２６には、この外周側端部２６を覆うとともにＬＥＤ光源１３からの光がハニカムコア４に入射することがなく、ＬＥＤ光源１３からの光を面板２、３の光入射面９、１０に導く被覆導光部材２７が設けられている。
【００３１】
被覆導光部材２７は、面板２、３の外周側端部７、８の内周面側にそれぞれ固定されて面板２、３の面方向にそれぞれ対向して延びる支持横板部２８、２８と、これらの支持横板部２８、２８の先端部同士を連結するとともに、ＬＥＤ光源１３からの光を面板２、３の光入射面９、１０にそれぞれ導く導光板部２９とからなる。この導光板部２９は、中間部が被覆支持部材２３に向けて突出しており、断面山形状に形成されている。また、導光板部２９の外面側、すなわち被覆支持部材２３側の表面は、鏡面仕上げされている。この導光板部２９に対向して、ＬＥＤ光源１３が被覆支持部材２３の内面に設けられている。
【００３２】
ＬＥＤ光源１３は、長尺状の基材に、所定の間隔でＬＥＤが複数個取り付けられて形成されたテープライトであり、端末部分からリード線３０が引き出される。このリード線３０から、ＬＥＤを点灯させる電力及びＬＥＤをどのタイミングで点灯させるか等の制御信号が伝達される。本実施の形態のＬＥＤ光源１３は、図示しない制御回路によって色調、点灯形態、点灯の時期等を制御することができる。例えば、点滅させたり、点滅させる毎に色調を例えば、赤色から緑色に変化させたり、あるいは複数のＬＥＤを順番に点灯させたりすることができる。
【００３３】
リード線３０から電力を供給し、ＬＥＤ光源１３を点灯させると、この光は、面板２、３の外周側端部７、８、導光板部２９に向けて照射される。面板２，３の外周側端部７、８に照射された光は、光入射面９、１０から面板２、３の内部透過部５、６を透過し、光放射面１１ａ、１２ａから外部に放射され、光放射面１１ｂ、１２ｂからハニカムコア４の筒状部２１、筒状部２１で囲まれた空間内に入射される。これによりハニカムパネル１全体がＬＥＤ光源１３からの光で点灯する。この場合、被覆導光部材２７は、内面が鏡面仕上げされているので、ハニカムコア４から放射された光は、ハニカムコア４に向けて反射され、ＬＥＤ光源１３に向けて透過することがない。
【００３４】
なお、上記実施の形態では、面板２、３の光放射面１１ａ、１２ａから外部に光を放射しているが、面板２の光放射面１１ａから放射する光を遮断するように、例えば遮蔽シート等を貼着することにより、面板３の光放射面１２ａからのみ外部に放射させるようにしても良い。
【００３５】
また、面板２、３の光放射面１１ａ、１２ａに貼着する遮蔽シートに、例えば案内方向や非常口等のメッセージをブランク部分として形成し、メッセージ部分のみ光が放射することで、案内板の役割としても良い。
【００３６】
さらに、上記実施の形態では、面板２、３が光透過性を有している板材、例えばアクリル板で形成したが、一方の面板２をアルミ合金板を用いて、ＬＥＤ光源からの光が他方の面板３からのみ放射されるようにしても良い。
【００３７】
また、上記実施の形態では、ハニカムコア４の外周側端部２６を被覆導光部材２７で覆うことで、ＬＥＤ光源１３の光が直接ハニカムコア４に入射しないようにしているが、ＬＥＤ光源１３の光を直接ハニカムコア４に入射させるようにしても良い。
【００３８】
また、本実施の形態では、長方形形状の透明なハニカムパネル１の外周側に、ＬＥＤ光源１３を設けた例を示したが、ハニカムパネル１は長方形状に限らず種々の形状のハニカムパネルでも良い。この場合でも、ハニカムパネルの外周側にＬＥＤ光源１３を設けることで、ハニカムパネルを点灯させることができる。
【００３９】
以上説明したように、本実施の形態に係るハニカムパネル１によれば、ＬＥＤ光源１３を面板２、３の外周側に設けたので、ハニカムコア４にＬＥＤ光源を取り付けるために、ハニカムコア４や面板２、３を加工する必要がない。
例えば、開口部や区画部を設ける加工が不要になる。
【００４０】
本実施の形態に係るハニカムパネル１によれば、ＬＥＤ光源１３を面板２、３の外周側に設けたので、ハニカムコア４にＬＥＤ光源１３を取り付ける取り付け部を設ける必要がなく、ハニカムパネル１の強度が低下することがない。
【００４１】
本実施の形態に係るハニカムパネル１によれば、ＬＥＤ光源１３を面板２、３の外周側に設けたので、ＬＥＤ光源１３から引き出されるリード線３０が外部に露出することがなく、リード線３０を遮蔽する加工が不要になる。
【００４２】
本実施の形態に係るハニカムパネル１によれば、ＬＥＤ光源１３を面板の外周側に設けたので、面板やハニカムコアを透明な材料で形成した透明なハニカムパネルにＬＥＤ光源を取り付けても基板や配線等が外から見えることがない。
【００４３】
本実施の形態に係るハニカムパネル１によれば、待合スペースや屋外通路等の天井材として用いた場合、ＬＥＤ光源１３の光によって待合スペースや屋外通路を点灯させることができるので、照明装置や街路灯等を別途に設ける必要がない。
【００４４】
本実施の形態に係るハニカムパネル１によれば、ＬＥＤ光源１３への電力の供給を停止すれば、透明ハニカムパネルとして用いることができので、太陽光を透過したり、他の照明器具からの光を透過することができる。
【００４５】
本実施の形態に係るハニカムパネル１によれば、ハニカムパネル１の外周側に設けたＬＥＤ光源１３の端末のリード線３０から電力を供給したが、例えば、太陽光で発電する太陽光パネルをハニカムパネル１に併設して、この太陽光パネルが発電した電力でＬＥＤを発光させても良い。この場合には、ＬＥＤ光源１３を発光させるための屋外の配線が不要になるとともに、屋外配線を行う工事も不要になる。また、外周全体でなく、一側面だけ等、特定の側面のみＬＥＤを設ける構成としても良い。
【００４６】
上述の通り、本発明の実施の形態を開示したが、当業者によっては本発明の範囲を逸脱することなく変更が加えられうることは明白である。すべてのこのような修正及び等価物が次の請求項に含まれることが意図されている。
【産業上の利用可能性】
【００４７】
本発明に係るハニカムパネルは、待合スペースや屋外通路の屋根材として用いる他に、家屋の内装、外装の壁、床材として利用することができる。また、ＬＥＤ光源によりハニカムパネルを発光させることができるので、照明を必要とする通路の壁材としても利用することができる。
【符号の説明】
【００４８】
１  ハニカムパネル
２、３  面板
４  ハニカムコア
５、６  内部透過部
７、８  外周側端部
９、１０  光入射面
１１（１１ａ、１１ｂ）  光放射面
１２（１２ａ、１２ｂ）  光放射面
１３  ＬＥＤ光源
【図１】
2019153444.tif 000003
【図２】
2019153444.tif 000004
【図３】
2019153444.tif 000005
【図４】
2019153444.tif 000006
【図５】
2019153444.tif 000007
【手続補正書】
【提出日】平成30年11月1日(2018.11.1)
【手続補正１】
【補正対象書類名】明細書
【補正対象項目名】００１１
【補正方法】変更
【補正の内容】
【００１１】
上述した課題を解決し、目的を達成するために、本発明の第１の態様は、一対の面板と、これらの面板間に挟持されるハニカムコアとからなるハニカムパネルであって、前記面板が内部に光が透過可能な内部透過部と、外周側端部に設けられて前記内部透過部に光が入射する光入射面と、光入射面から入射し前記内部透過部を透過した光が外部に放射される光放射面とを有し、前記ハニカムコアが光透過性を有し、前記面板の外周側に前記光入射面に向けて光を照射するＬＥＤ光源が設けられ、前記面板の外周側端部には、該外周側端部を覆うとともに、内面に前記ＬＥＤ光源が支持され、前記ＬＥＤ光源の光が外部に透過することのない被覆支持部材が設けられ、前記ハニカムコアの外周側端部には、該外周側端部を覆うとともに前記ＬＥＤ光源からの光が前記ハニカムコアに入射することがなく、前記ＬＥＤ光源からの光を前記光入射面に導く被覆導光部材が設けられていることを特徴とする。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】変更
【補正の内容】
【００１３】
本発明の第２の態様としては、前記被覆支持部材は前記面板の外周側端部の外周面側にそれぞれ固定されて面板の面方向にそれぞれ対向して延びる横板部と、これらの横板部の先端部同士を連結するとともに内面側に前記ＬＥＤ光源が固定される縦板部と、で形成されていることを特徴とする。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
本発明の第３の態様としては、前記被覆導光部材は、前記面板の外周側端部の内周面側にそれぞれ固定されて面板の面方向にそれぞれ対向して延びる支持横板部と、これらの支持横板部の先端部同士を連結するとともに、前記ＬＥＤ光源からの光を前記面板の前記光入射面にそれぞれ導く導光板部とからなることを特徴とする。
【手続補正６】
【補正対象書類名】特許請求の範囲
【補正対象項目名】全文
【補正方法】変更
【補正の内容】
【特許請求の範囲】
【請求項１】
一対の面板と、これらの面板間に挟持されるハニカムコアとからなるハニカムパネルであって、
前記面板が内部に光が透過可能な内部透過部と、外周側端部に設けられて前記内部透過部に光が入射する光入射面と、光入射面から入射し前記内部透過部を透過した光が外部に放射される光放射面とを有し、
前記ハニカムコアが光透過性を有し、
前記面板の外周側に前記光入射面に向けて光を照射するＬＥＤ光源が設けられ、
前記面板の外周側端部には、該外周側端部を覆うとともに、内面に前記ＬＥＤ光源が支持され、前記ＬＥＤ光源の光が外部に透過することのない被覆支持部材が設けられ、
前記ハニカムコアの外周側端部には、該外周側端部を覆うとともに前記ＬＥＤ光源からの光が前記ハニカムコアに入射することがなく、前記ＬＥＤ光源からの光を前記光入射面に導く被覆導光部材が設けられていることを特徴とするハニカムパネル。
【請求項２】
前記被覆支持部材は前記面板の外周側端部の外周面側にそれぞれ固定されて面板の面方向にそれぞれ対向して延びる横板部と、これらの横板部の先端部同士を連結するとともに内面側に前記ＬＥＤ光源が固定される縦板部と、で形成されていることを特徴とする請求項１に記載のハニカムパネル。
【請求項３】
前記被覆導光部材は、前記面板の外周側端部の内周面側にそれぞれ固定されて面板の面方向にそれぞれ対向して延びる支持横板部と、これらの支持横板部の先端部同士を連結するとともに、前記ＬＥＤ光源からの光を前記面板の前記光入射面にそれぞれ導く導光板部とからなることを特徴とする請求項１又は請求項２に記載のハニカムパネル。